(57)【要約】【課題】本発明の目的は、マルチパネルドアのためのドアロック装置を提供することにある。【解決手段】本発明の一実施形態によれば、二重ドア組立体のパッシブパネルを固定する装置は、パッシブパネルをドアフレームに固定する遠隔ボルトを引き込みかつ延長するための回転可能ハンドルと、パッシブパネルをアクティブパネルに固定する別個の制御部により延長及び引き込みの両方を行えるロックボルトとを備える。【選択図】図１
2012233399.tif 000002
【特許請求の範囲】
【請求項１】
二重ドア組立体の第１のドアパネルを、前記二重ドア組立体の第２のドアパネルと、同時に前記二重ドア組立体のフレームとに固定するパッシブ・ドア・ロック装置であって、
前記ドアパネル内のほぞ穴に支持可能な中央カセット部を備え、
前記中央カセット部は、
ハウジングと、
前記ハウジング内のロッキングボルトであって、前記ロッキングボルトが前記ハウジング内にほぼ収容される引き込み位置と、前記ロッキングボルトの一部が前記第２のドアパネルと係合されるように前記ハウジングから延びる延長位置との間で選択的にシフト可能なロッキングボルトと、
前記引き込み位置と前記延長位置との間で前記ロッキングボルトをシフトするロックボルト駆動部の組立体と、
回転可能ハンドルの組立体と、
前記回転可能ハンドルの組立体と動作可能に連結される一対の駆動棒と、
前記一対の駆動棒のそれぞれに対し動作可能に連結され、第１の引き込み位置と第２の延長位置との間で回転可能ハンドルの組立体と共に選択的にシフト可能な一対の遠隔ボルトと
を備えるパッシブ・ドア・ロック装置。
【請求項２】
請求項１に記載のパッシブ・ドア・ロック装置において、
前記ロッキングボルトが前記引き込み位置にあるとき、前記遠隔ボルトが前記引き込み位置から前記延長位置へとシフトすることが阻止されるパッシブ・ドア・ロック装置。
【請求項３】
請求項１に記載のパッシブ・ドア・ロック装置において、
前記ロッキングボルトが前記延長位置にあるとき、前記遠隔ボルトが前記延長位置から前記引き込み位置へとシフトすることが阻止されるパッシブ・ドア・ロック装置。
【請求項４】
請求項１に記載のパッシブ・ドア・ロック装置において、
前記ロックボルト駆動部は、前記ロックボルト駆動部を前記ロッキングボルトの前記引き込み位置と前記ロッキングボルトの前記延長位置との両方に向けて付勢する付勢バネに対し動作可能に連結されているパッシブ・ドア・ロック装置。
【請求項５】
請求項４に記載のパッシブ・ドア・ロック装置において、
前記付勢バネは、板バネであるパッシブ・ドア・ロック装置。
【請求項６】
請求項４に記載のパッシブ・ドア・ロック装置において、
前記付勢バネは、ユーザに対し、前記ロッキングボルトが前記延長位置にあるか、前記ロッキングボルトが前記引き込み位置にあることの触感を提示するパッシブ・ドア・ロック装置。
【請求項７】
請求項１に記載のパッシブ・ドア・ロック装置は、更に、
前記一対の駆動棒のうちの少なくとも一方に動作可能に連結されかつ前記駆動棒を前記延長位置又は前記引き込み位置に付勢するバネを備えるパッシブ・ドア・ロック装置。
【請求項８】
請求項１に記載のパッシブ・ドア・ロック組立体において、
前記回転可能ハンドルは、前記遠隔ボルトを前記引き込み位置から前記延長位置へシフトさせるため、中立位置に対し第１の回転方向に回転可能であり、前記回転可能ハンドルは、前記遠隔ボルトを前記延長位置から前記引き込み位置へシフトさせるため、前記中立位置に対し逆回転方向に回転可能であるパッシブ・ドア・ロック組立体。
【請求項９】
請求項１に記載のパッシブ・ドア・ロック装置は、更に、
前記回転可能ハンドルに動作可能に連結されかつ前記回転可能ハンドルを中立位置へ付勢するために配置されたバネを備えるパッシブ・ドア・ロック装置。
【請求項１０】
請求項１に記載のパッシブ・ドア・ロック組立体において、
前記駆動棒は、対向する両方向に移動するパッシブ・ドア・ロック組立体。
【請求項１１】
フレームに対し別々に蝶番式に動かされるアクティブパネルおよびパッシブパネルを備え、前記パッシブパネルは、前記パッシブパネルを前記アクティブパネルに固定すると同時に前記パッシブパネルを前記フレームに固定するパッシブ・ドア・ロック装置を備え、前記パッシブ・ドア・ロック装置は、
パッシブ・ドア・パネル内のほぞ穴に支持される中央カセット部を備え、前記カセット部は、
ハウジングと、
前記ハウジング内のロッキングボルトであって、前記ロッキングボルトが前記ハウジング内にほぼ収容される引き込み位置と、前記ロッキングボルトの一部がアクティブ・ドア・パネルと係合されるように前記ハウジングから延びる延長位置との間で選択的にシフト可能なロッキングボルトと、
前記引き込み位置と前記延長位置との間で前記ロッキングボルトをシフトするロックボルト駆動部の組立体と、
回転可能ハンドルの組立体と、
回転可能ハンドルの組立体と動作可能に連結される一対の駆動棒と、
一対の遠隔ボルトであって、前記一対の駆動棒のそれぞれに対し動作可能に連結され、第１の引き込み位置と、前記一対の遠隔ボルトのうちの少なくとも一方が前記フレームに係合される第２の延長位置との間で前記回転可能ハンドルの組立体と共に選択的にシフト可能な一対の遠隔ボルトと
を備える二重ドア組立体。
【請求項１２】
請求項１１に記載の二重ドア組立体において、
前記ロッキングボルトが前記引き込み位置にあるとき、前記遠隔ボルトが前記引き込み位置から前記延長位置へとシフトすることが阻止される二重ドア組立体。
【請求項１３】
請求項１１に記載の二重ドア組立体において、
前記ロッキングボルトが前記延長位置にあるとき、前記遠隔ボルトが前記延長位置から前記引き込み位置へとシフトすることが阻止される二重ドア組立体。
【請求項１４】
請求項１１に記載の二重ドア組立体において、
前記ロックボルト駆動部は、前記ロックボルト駆動部を前記ロッキングボルトの前記引き込み位置と前記ロッキングボルトの前記延長位置との両方に向けて付勢する付勢バネに対し動作可能に連結されている二重ドア組立体。
【請求項１５】
請求項１４に記載の二重ドア組立体において、
前記付勢バネは、板バネである二重ドア組立体。
【請求項１６】
請求項１４に記載の二重ドア組立体において、
前記付勢バネは、ユーザに対し、前記ロッキングボルトが前記延長位置にあるか、前記ロッキングボルトが前記引き込み位置にあることの触感を提示する二重ドア組立体。
【請求項１７】
請求項１１に記載の二重ドア組立体は、更に、
前記一対の駆動棒のうちの少なくとも一方に動作可能に連結されかつ前記駆動棒を前記延長位置又は前記引き込み位置に付勢するバネを備える二重ドア組立体。
【請求項１８】
請求項１１に記載の二重ドア組立体において、
前記回転可能ハンドルは、前記遠隔ボルトを前記引き込み位置から前記延長位置にシフトさせるため、中立位置に対し第１の回転方向に回転可能であり、前記回転可能ハンドルは、前記遠隔ボルトを前記延長位置から前記引き込み位置へシフトさせるため、前記中立位置に対し逆回転方向に回転可能である二重ドア組立体。
【請求項１９】
請求項１１に記載の二重ドア組立体は、更に、
前記回転可能ハンドルに動作可能に連結されかつ前記回転可能ハンドルを中立位置へ付勢するために配置されたバネを備える二重ドア組立体。
【請求項２０】
請求項１１に記載の二重ドア組立において、
前記駆動棒は、対向する両方向へ移動する二重ドア組立体。
【発明の詳細な説明】
【関連出願】
【０００１】
本願は、２０１１年５月５日出願のパッシブ・ドア・ロック装置と題する米国仮特許出願第６１／４８２，７９５号の利益を主張するものであり、当該出願の全てが参照として本明細書に組み込まれている。
【技術分野】
【０００２】
本発明は、ドアロック装置に関し、より詳しくは、マルチパネルドアのためのドアロック装置に関する。
【背景技術】
【０００３】
一般に、パッシブ・ドア・ロック装置は、二枚以上の蝶番式スイング・ドア・パネルが単一の壁開口部に据え付けられる場合に使用される。ドア組立体は壁開口部に取り付けられたフレームの二本の垂直レールに、対向する両側で蝶番式に動く二枚のスイングパネルを備えている。また、フレームは、開口部の頂部に沿ったヘッダと、開口部の底部に沿った敷居とから構成されている。二枚のスイングドアの自由縁部は、開口部の中央で一緒になり、ドアパネルをフレーム構造体に固定するためにハードウェアの支持構造体として機能する。ドアパネルの一方は、マルチポイントハードウェアの場合にラッチボルト、デッドボルト、おそらく遠隔ボルトポイントを含むあらゆる単独ドア用途に見られるハードウェアに類似したハードウェアを収容する。このパネルは、アクティブパネルと称される。もう一方のパネルは、アクティブパネル内のハードウェアのボルトを受け入れるストライクを収容する。このパネルは、パッシブパネルと称される。両方のパネルを開口部に対し確実に固定するため、アクティブパネルの固定として機能させるよう何らかの形でパッシブパネルをフレームに固定しなければならない。
【発明の概要】
【発明が解決しようとする課題】
【０００４】
本発明の目的は、マルチパネルドアのためのドアロック装置を提供することにある。
【課題を解決するための手段】
【０００５】
本発明の実施形態において、スイング・パッシブ・パネルは、パネルの自由縁部の頂部コーナー及び底部コーナーからフレームヘッダ及び敷居上のストライクへ垂直方向に延びるシュートボルトにより固定される。ストライクは、パッシブパネルの自由縁部に取り付けられかつアストラガルと称される細長い材料上のパッシブパネルに、取り付けられる。アストラガルは、パッシブ・ドア・ロックを覆うように取り付けられ、パッシブパネルの中へ広がるようにアクティブパネルのラッチボルト、デッドボルト、及び遠隔ボルトのための隙間を提供する。
【０００６】
本発明の実施形態によれば、二重ドア組立体のパッシブパネルを固定する装置は、パッシブパネルをドアフレームに固定するために遠隔ボルトの引き込みと延長とを行う回転可能ハンドルと、パッシブパネルをアクティブパネルに固定するために別個の制御部により延長と引き込みとを行うロックボルトとを含む。
【０００７】
本実施形態によれば、二重ドア組立体の第１のドアパネルを二重ドア組立体の第２のドアパネルと、同時に二重ドア組立体のフレームとに固定するパッシブ・ドア・ロック装置は、ドアパネル内のほぞ穴に支持可能な中央カセット部を備える。カセット部は、ハウジングと、ハウジング内のロッキングボルトとを備える。ロッキングボルトは、ロッキングボルトがハウジングの内部に実質的に収容される引き込み位置と、ロッキングボルトの一部が第２のドアパネルと係合されるようにハウジングから延びる延長位置との間で選択的にシフト可能である。この装置は、更に、引き込み位置と延長位置との間でロッキングボルトをシフトさせるロックボルト駆動部組立体と、回転可能ハンドル組立体と、回転可能ハンドル組立体と動作可能に連結される一対の駆動棒と、一対の駆動棒のそれぞれに対し動作可能に連結される一対の遠隔ボルトとを備え、遠隔ボルトは、第１の引き込み位置と第２の延長位置との間で回転可能ハンドル組立体と共に選択的にシフト可能である。
【０００８】
本発明の実施形態において、ロッキングボルトが引き込み位置にあるとき、遠隔ボルトが引き込み位置から延長位置へとシフトすることが阻止される。ロッキングボルトが延長位置にあるとき、遠隔ボルトは、延長位置から引き込み位置へシフトすることが妨げられる。ロックボルト駆動部は、ロックボルト駆動部をロッキングボルトの引き込み位置とロッキングボルトの延長位置との両方に向けて付勢する付勢バネと動作可能に連結される。付勢バネは、板バネでもよい。
【０００９】
本発明の他の実施形態において、パッシブ・ドア・ロック装置は、ユーザに対し、ロッキングボルトが延長位置にあるか、ロッキングボルトが引き込み位置にあるとの触感を提示することがある。バネは、駆動棒を延長位置または引き込み位置へ付勢するため、駆動棒のうちの少なくとも一方に動作可能に連結される。
【００１０】
他の実施形態において、回転可能ハンドルは、遠隔ボルトを引き込み位置から延長位置へシフトさせるため、中立位置に対し第１の回転方向に回転可能であり、回転可能ハンドルは、遠隔ボルトを延長位置から引き込み位置へシフトさせるため、中立位置に対し逆回転方向に回転可能である。この装置は、回転可能ハンドルを中立位置へ付勢するために配置されかつ回転可能ハンドルに対し動作可能に連結されるバネを備える。実施形態において、駆動棒は、対向する両方向へ移動する。
【００１１】
更に別の実施形態において、二重ドア組立体は、フレームに対し別々に蝶番式に動かされるアクティブパネルおよびパッシブパネルを備え、パッシブパネルは、パッシブパネルをアクティブパネルに固定すると同時にパッシブパネルをフレームに固定するパッシブ・ドア・ロック装置を備える。パッシブ・ドア・ロック装置は、ドアパネル内のほぞ穴に支持可能な中央カセット部を備える。カセット部は、ハウジングと、ハウジング内のロッキングボルトとを備える。ロッキングボルトは、ロッキングボルトがハウジング内にほぼ収容される引き込み位置と、ロッキングボルトの一部が第２のドアパネルと係合されるようにハウジングから延びる延長位置との間で選択的にシフト可能である。この装置は、更に、引き込み位置と延長位置との間でロッキングボルトをシフトするロックボルト駆動部組立体と、回転可能ハンドル組立体と、回転可能ハンドル組立体と動作可能に連結される一対の駆動棒と、一対の駆動棒のそれぞれに対し動作可能に連結される一対の遠隔ボルトとを備える、遠隔ボルトは、第１の引き込み位置と第２の延長位置との間で回転可能ハンドル組立体と共に選択的にシフト可能である。
【００１２】
本発明の実施形態において、ロッキングボルトが引き込み位置にあるとき、遠隔ボルトが引き込み位置から延長位置へシフトすることが阻止される。ロッキングボルトが延長位置にあるとき、遠隔ボルトが延長位置から引き込み位置へシフトすることが阻止される。ロックボルト駆動部は、ロックボルト駆動部をロッキングボルトの引き込み位置とロッキングボルトの延長位置との両方に向けて付勢する付勢バネに対し動作可能に連結される。付勢バネは、板バネでもよい。
【００１３】
本発明の他の実施形態において、パッシブ・ドア・ロック装置は、ユーザに対し、ロッキングボルトが延長位置にあるか、ロッキングボルトが引き込み位置にあるとの触感を提示することがある。バネは、駆動棒を延長位置または引き込み位置へ付勢するため駆動棒のうちの少なくとも一方に動作可能に連結されることがある。
【００１４】
他の実施形態において、回転可能ハンドルは、遠隔ボルトを引き込み位置から延長位置へシフトさせるため、中立位置に対し第１の回転方向に回転可能であり、回転可能ハンドルは、遠隔ボルトを延長位置から引き込み位置へシフトさせるため、中立位置に対し逆回転方向に回転可能である。この装置は、更に、回転可能ハンドルを中立位置へ付勢するために配置されかつ回転可能ハンドルに動作可能に連結されるバネを備える。実施形態において、駆動棒は、対向する両方向へ移動する。
【００１５】
本発明の特定の実施形態の特徴および利点は、ロッキングボルトが延長されている間に遠隔ボルトが操作ハンドルと共に引き込まれないようにするため、ロックボルト駆動部が、装置の操作ハンドルを同時にロックアウトするロッキングボルトを延長することである。
【００１６】
本発明の特定の実施形態の特徴および利点は、ロックボルト駆動部が操作されるとき、ユーザに対し、ロックボルト駆動部がロック位置またはアンロック位置のいずれに到達したとの触感が提示されるように、ロックボルト駆動部がバネ仕掛けにされることである。
【００１７】
本発明の特定の実施形態の特徴および利点は、遠隔ロッキングポイントを作動させる駆動棒の一方または両方が、延長位置または引き込み位置に向けてバネ付勢されることである。
【００１８】
本発明の特定の実施形態の特徴および利点は、操作後にハンドルを中立位置へ戻してハンドル落下を防止または制御するように、操作ハンドルがバネ仕掛けにされることである。
【００１９】
本発明の特定の実施形態の特徴および利点は、遠隔ロッキングポイントを作動させる上側および下側駆動棒が、重力平衡を図るべく逆向きにされることである。この装置は、上側駆動棒の上向き運動が上側シュートボルトを引き込むために作用し、かつ対応する下側駆動棒の下向き運動が下側シュートボルトを引き込むために作用するように、反転機構部を有するシュートボルト形状の遠隔ロッキングポイントと共に使用される。
【００２０】
本発明の特定の実施形態の特徴および利点は、駆動棒のうちの一つが遠隔ボルトが引き込まれたとき、ロッキングボルトの延長およびロックボルト駆動回転を阻止して、遠隔ボルトが延長されていないことをユーザに知らせるのに有用であることである。
【００２１】
本発明のある特定の実施形態の特徴および利点は、ロッキングボルトが延長されているとき、遠隔ボルトの引き込みが妨げられることである。
以下、添付図面と共に本発明に係る様々な実施形態の詳細な説明を考慮することにより、本発明はより確実に理解されるであろう。
【図面の簡単な説明】
【００２２】
【図１】本発明の一実施形態に係るロック組立体の側面図。
【図２】分解した状態の組立体のモジュールを示す図１のロック組立体の側面図。
【図３】操作の初期状態における組立体を示す図１の組立体の部分断面側面図。
【図４】シュートボルトを延ばすためハンドルを上向きに回転した組立体を示す図１の組立体の部分断面側面図。
【図５】シュートボルトを延長位置にロックするためにハンドルを中心に置きかつサムターン制御部を回転した組立体を示す図１の組立体の部分断面側面図。
【図６】シュートボルトをロック解除するためにハンドルを中心に置にかつサムターン制御部を回転した組立体を示す図１の組立体の部分断面側面図。
【図７】シュートボルトを引き込むためにハンドルを下向きに回転した組立体を示す図１の組立体の部分断面側面図。
【図８】シュートボルトがドアフレーム内で完全に係止されるまでシュートボルトをロックするためにハンドルを中心に置きかつサムターンの所定位置への回転を阻止した組立体を示す図１の組立体の一部の断面側面図。
【図９】ハンドルを上向きに回転した図１の組立体のカセットの部分断面側面図。
【図１０】ハンドルを中心に置きかつシュートボルトを延長位置に配置した図９の部分断面側面図。
【図１１】ハンドルを下向きに回転した図９の部分断面側面図。
【図１２】ハンドルを中心に置きかつシュートボルトを引き込み位置に配置した図９の部分断面側面図。
【図１３】図１の組立体のカセット部の等角図。
【図１４】図１３の組立体のロッキングボルトの等角図。
【図１５】図１３の組立体のロックボルト駆動部の等角図。
【発明を実施するための形態】
【００２３】
本発明は、様々な変形及び変更例に修正可能であるが、これらの詳細は、一例として図示され、詳細に説明されている。しかしながら、本発明を記載した特定の実施形態に限定すべきでないことを理解すべきである。これに対し、全ての変形例、均等物及び変更例を網羅することを意図している。
【００２４】
図１〜図１５に示すように、発明の実施形態によるパッシブ・ドア・ロック組立体１００は、一般に、中央カセット部としての中央カセット１０２と、タイバー組立体１０６により一体的に動作可能に連結されかつシュートボルト１０４の形をした一対の遠隔ボルトとを備えている。図１に示すように、組立体１００は単一であってもよく、または、図２に示すように、様々の高さをもつドアを収容し易くするために分離可能なモジュールにより構成してもよい。シュートボルト１０４の更なる詳細は、本発明の所有者により所有されかつ参照として本明細書に組み込まれる米国特許出願第１２／５７３，５３２号に記載されている。本発明と共に有用なアクティブ・ドア・ロック組立体の更なる詳細は、本出願の所有者により同様に所有される米国特許出願第１２／８２７，８３３号に開示され、当該出願は全て参照として本明細書に組み込まれている。パッシブ・ドア・ロック組立体１００が有用であるアクティブ・ドア・パネル及びパッシブ・ドア・パネルの両方を含む二重ドア組立体の更なる詳細は、本願の所有者により所有されかつ参照として本明細書に組み込まれる米国特許第６，９７１，６８６号に開示されている。
【００２５】
一般に、中央カセット１０２は、ハンドル組立体１１０と、ボルト駆動組立体１１２と、ロック制御部組立体１１４とを囲むハウジング１０８を備えている。一般に、ハンドル組立体１１０は、クランク１１６と、スピンドル部１１８と、ハンドル１２０と、ハンドル戻りバネ組立体１２１とを備えている。クランク１１６は、上側アーム１２２と、ギア歯１２８を更に画定するバレル部１２６から延びる下側アーム１２４とを有している。ハンドル１２０は、スピンドル部１１８に画定された正方形凹部１３０に係合して、ハンドル１２０の回転をスピンドル部１１８およびクランク１１６の回転に合わせるように、ハンドル１２０の断面が略正方形の凸部（図示せず）を有している。
【００２６】
図９〜図１２に示すように、一般に、ハンドル戻りバネ組立体１２１は、圧縮バネ１３２と、バネハウジング１３４と、ギア歯１３８を画定するラック１３６とを備えている。バネハウジング１３４はハウジング１０８に留められ、ラック１３６はハウジング１０８の後方壁１４０上に摺動自在に配置されている。ラック１３６は、端壁１４２、１４４を有し、両端壁間には、凹部１４５が画定されている。
【００２７】
一般に、ボルト駆動組立体１１２は、上側駆動棒１４６と、下側駆動棒１４８と、ねじりバネ１５０と、ピボットレバー１５２とを備えている。ピボットレバー１５２は、ピボット１５４でハウジング１０８に回動的に取り付けられると共に、フォーク状端部１５６、１５８を画定する。ピボットレバー１５２のフォーク状端部１５６は、下側駆動棒１４８にピン１６０を支持し、ピボットレバー１５２のフォーク状端部１５８は、上側駆動棒１４６にピン１６２を支持する。図３〜図１２に示すように、ねじりバネ１５０は、ピボット１５４およびピン１６２の両方で回動し、付勢力を付与して、機構部をシュートボルトを延ばすと共に第１の位置に維持しかつシュートボルトを引き込むと共に第２の位置に維持する。
【００２８】
一般に、ロック制御部組立体１１４は、ロッキングボルト１６４と、付勢バネ１６６と、サムターン・カム部材１６８と、レバー１７０と、止め棒１７２と、バネ１７４とを備えている。ロッキングボルト１６４は、ハウジング１０８内で水平方向に摺動可能であり、バネ１６６により後方壁１４０から離れるように付勢される。カム部材１６８は、本技術分野で公知のように、ハウジング１０８内に回転可能に搭載されると共に、サムターンまたはサムターン／ロックシリンダのスピンドルを支持するスロット１７６を画定する。止め棒１７２は、後方壁１４０上に摺動自在に配置されている。
【００２９】
図３及び図４に示すように、シュートボルト１０４は、ハンドル１２０からの上向き回転入力によって延びる。クランク１１６の上側アーム１２２は、上側駆動棒１４６において捕捉ピン１７８に接触しながら下向きに回転し、上側駆動棒１４６を下向きに押し付けて、上側駆動棒１４６の凸部１８０をロッキングボルト１６４のアンダーカット部１８２と垂直方向に位置合わせする。上側駆動棒１４６を下向きに移動させると、フォーク状端部１５８内のピン１６２の係合により動くピボットレバー１５２が回動する。ピボットレバー１５２が回動すると、下側駆動棒１４８は、フォーク状端部１５６内のピン１６０の係合により上向きに動く。駆動棒１４６、１４８は、タイバー・ピン１８４によりタイバー１０６に連結される。タイバー１０６は、シュートボルト１０４に接続され、二重ドア組立体（図示せず）のドア・フレーム・ヘッダまたは敷居上に位置するストライクの中へと垂直方向にシュートボルト１０４を延ばす。同時に、図９〜図１０に示すように、クランク１１６上のギア歯１２８は、ラック１３６を垂直方向に動かす。ラック１３６内の凹部１４５は、圧縮バネ１３２の半分を縦方向に収容する。圧縮バネ１３２のもう一方の半分は、バネハウジング１３４内に収容される。ラック１３６を垂直上方に動かすと、凹部１４５は上向きにシフトし、バネハウジング１３４の頂部壁に対し圧縮バネ１３２を圧縮して、増加する下向き付勢力をラック１３６に付与し、ハンドル１２０を元の中央位置へ付勢するように時計回りの付勢力をクランク１１６に伝達する。ハンドル１２０が開放されると、ねじりバネ１５０は、延長位置に操作棒１４６、１４８を保持する。圧縮バネ１３２はラック１３６を下向きに押し付け、ハンドル１２０を図１０に示す中立の中央位置へと戻す。
【００３０】
図４〜図５に示すように、上側操作棒１４６が延長位置に入ると、ロッキングボルト１６４は、本技術分野でよく用いられるサムターンまたはサムターン／ロックシリンダ（図示せず）の回転により水平方向に延長され、スピンドルがスロット１７６内で係止される。カム部材１６８が回転すると、付勢バネ１６６によってアシストされ、ハウジング１０８内のスロットとロッキングボルト１６４の両側でカバー（図示せず）及びガイド１８８により案内されるロッキングボルト１６４は、カム部材１６８上の突起１９０（図１３を参照）を水平方向に辿る。ロッキングボルト１６４内のアンダーカット部１８２は、上側操作棒１４６の凸部１８０に重なり合い、上側操作棒１４６の上向き運動を阻止し、それによって、シュートボルト１０４を延長位置に効果的にロックする。同時に、カム面１９２（図１３を参照）は、ピン１９４の周りで回転するようにレバー１７０を駆動する。レバー１７０上の突起１９６は、下方へ回転する。止め棒１７２内のスロット１９８は、突起１９６が下向きに回転するときに、突起１９６によって位置付けられる。止め棒１７２は、止め棒１７２のもう一方の端部でブロッキング突出部２００がクランク１１６で爪部２０２と接近して移動し、クランク１１６の回転を防止し、それによって、ハンドル１２０がシュートボルト１０５を引き込むことを防止するように、垂直方向下向きに移動する。同時に、バネ１７４は、カム部材１６８の突出部２０６のコーナー２０４と接触し、カム部材１６８をロック位置に保持する。
【００３１】
図６に示すように、サムターンまたはサムターン／ロックシリンダの回転を逆にしてカム部材１６８を反対方向に回転することにより、ロッキングボルト１６４が引き込まれる。カム部材１６８が回転すると、突起１９０（図１３〜図１５を参照）は、ロッキングボルト１６４の空洞２１２内の表面２１０に接触して、ロッキングボルト１６４を引き込み位置へと動かす。同時に、カム部材１６８がロッキングボルト１６４を引き込むために回転すると、カム部材１６８の突出部２０６上のカム面１９２（図１３参照）は、レバー１７０のもう一方の端部と接触し、突起１９６を上方へシフトして、止め棒１７２を垂直方向上向きに持ち上げる。これにより、クランク１１６上の爪部２０２からブロッキング突出部２００が離れて、クランク１１６の回転を可能にする。同時に、カム部材１６８上の突出部３６は、バネ１７４による接触時にロッキングボルト１６４をアンロック位置に保持するための表面２１４を有している。
【００３２】
図７に示すように、シュートボルト１０４は、ハンドル１２０からの下向き回転入力によって引き込まれる。クランク１１６の下側アーム１２４は、上向きに回転すると共に上側駆動棒１４６内の捕捉ピン１７８に接触し、上側駆動棒１４６を上向き方向に押圧する。上側駆動棒１４６のピン１６２は、ピボットレバー１５２を回転させる。ピボットレバーは、下側駆動棒１４８のピン１６０を下向き方向に動かす。駆動棒１４６，１４８は、タイバー・ピン１８４を介してタイバー１０６を動かす。タイバー１０６は、シュートボルト１０４を引き込み位置へと動かし、ドアフレーム（図示せず）内のストライクからシュートボルト１０４を外す。同時に、図１１〜図１２のように、クランク１１６上のギア歯１２８は、垂直方向下向きにラック１３６を動かす。凹部１４５とバネハウジング１３４とからなる収縮コンパートメント内に収容された圧縮バネ１３２は、圧縮される。ハンドル１２０が放されると、ねじりバネ１５０は、引き込み位置に駆動棒１４６、１４８を保持する一方、圧縮バネ１３２は、ラック１３６とクランク１１６上のギア歯１２８とを介して、ハンドル１２０を、中央の中立位置へと戻す。
【００３３】
図８に示すように、シュートボルト１０４は、引き込み位置にあり、上側駆動棒１４６の凸部１８０は、ロッキングボルト１６４の非アンダーカットセクション２２０により垂直方向に位置合わせされた位置にある。非アンダーカットセクション２２０が凸部１８０と接触すると、非アンダーカットセクションは、ロッキングボルト１６４が水平方向へ更に移動することを防ぐ。これにより、突起１９０がロッキングボルト１６４上の突起２２２と接触するまでの間に限り、カム部材１６８の回転を可能にする。カム部材１６８内のスロット１７６は、停止力を、スロット内に係合されたサムターン／スピンドル組立体に伝達する。サムターン／スピンドル組立体が放されると、バネ１７４は、カム部材１６８上の突出面２１４と接触し、カム部材１６８をアンロック位置へと戻す。これにより、シュートボルト１０４がドア・フレーム・ストライク内に確実に係合されていないことや、サムターンが作動してパッシブパネルをロックする前にシュートボルト１０４を延ばさなければならないこと等を、知らせる。
【００３４】
以上の実施形態は一例であり、限定的でないことを意図している。更に別の実施形態が、請求項の範囲に含まれる。特定の実施形態を参照して本発明を説明したが、当業者にとって、本発明の精神および範囲から逸脱せずに形式および詳細の変更が可能であることは明らかである。本発明の請求項を解釈する目的のため、米国法典第３５編第１１２条第６パラグラフの条項は、特定の用語「する手段」または「するステップ」が請求項に記載されない限り、発動されるべきではない。
【図１】
2012233399.tif 000003
【図２】
2012233399.tif 000004
【図３】
2012233399.tif 000005
【図４】
2012233399.tif 000006
【図５】
2012233399.tif 000007
【図６】
2012233399.tif 000008
【図７】
2012233399.tif 000009
【図８】
2012233399.tif 000010
【図９】
2012233399.tif 000011
【図１０】
2012233399.tif 000012
【図１１】
2012233399.tif 000013
【図１２】
2012233399.tif 000014
【図１３】
2012233399.tif 000015
【図１４】
2012233399.tif 000016
【図１５】
2012233399.tif 000017
【外国語明細書】
2012233399000001.pdf